(57)【要約】【課題】  タッチパネルを搭載した電子機器において、タッチパネルが電子機器の金属等の導体と反応して、ユーザーが意図しない動作を発生させるのを防ぐことができるタッチパネル搭載電子機器とその誤反応防止方法を提供する。【解決手段】  折りたたみ式の電子機器において、操作面に配置された操作用の導体からなるキー３１を備え、前記キー３１に近接する部分にＧＮＤへ接続された誤動作検知用の導体３２を配置することで、前記タッチパネルへの接触動作と、前記キー３１への前記タッチパネルへの近接または接触動作とを判別できるように構成した。【選択図】      図３
2011154424.tif 000002
【特許請求の範囲】
【請求項１】
タッチパネルを搭載した第１の筐体と、操作面を有する第２の筺体とを備え、前記第１の筐体と前記第２の筺体とが、折りたたみ可能に一端同士を結合され、前記タッチパネルに導体が触れた際の前記導体の静電容量の変化に基づく接触検知情報を得ようにした折りたたみ式の電子機器において、
前記操作面に配置された操作用の導体からなるキーを備え、前記キーに近接する部分にＧＮＤへ接続された誤動作検知用の導体を配置することで、前記タッチパネルへの接触動作と、前記キーへの前記タッチパネルへの近接または接触動作とを判別できるように構成したことを特徴とするタッチパネル搭載電子機器。
【請求項２】
請求項１に記載のタッチパネル搭載電子機器において、前記誤動作検知用の導体は、前記キーよりも、前記一端側に配置された第１の検知導体と、前記キーよりも前記一端側から離れて配置された第２の検知導体とを備えていることを特徴とするタッチパネル搭載電子機器。
【請求項３】
請求項１又は２に記載のタッチパネル搭載電子機器において、前記第１の検知導体は第１の抵抗を介して、ＧＮＤに接続され、前記弟２の検知導体は、第２の抵抗を介して、ＧＮＤに接続され、前記第２の検知導体が前記弟１の検知導体よりも、前記静電容量の検知感度が大きくなるように、前記第１抵抗器は前記第２の抵抗器よりも大きな抵抗値を有することを特徴とするタッチパネル搭載電子機器。
【請求項４】
請求項１乃至３の内のうちのいずれか一項に記載のタッチパネル搭載電子機器において、前記タッチパネルに重合せて設けられた表示装置と、前記表示装置を駆動するための表示装置駆動手段と、前記表示装置前記タッチパネルへの接触による接触検知情報を生成するタッチパネル駆動手段と、前記接触検知情報を格納する記憶手段と、前記タッチパネル駆動手段からの接触検知情報と、記憶手段に格納された接触検知情報とを比較し、一致した場合には、当該タッチパネル搭載電子機器の使用不可能状態に移行させるとともに、一方、前記タッチパネル駆動手段からの情報と、記憶手段に格納された接触検知情報とを比較し、一致しない場合には、当該前記タッチパネル駆動手段からの接触検知情報を前記表示装置駆動手段に出力して、前記表示装置に表示させる誤反応防止制御手段とを有することを特徴とするタッチパネル搭載電子機器。
【請求項５】
請求項１乃至４のいずれか一項に記載のタッチパネル搭載電子機器において、
前記接触情報は、接触位置を示す座標、接触点数、接触感度、及び静電容量変化の波形の内の少なくとも一種であることを特徴とするタッチパネル搭載電子機器。
【請求項６】
請求項５に記載のタッチパネル搭載電子機器において、前記接触感度は、予め定められた閾値を越えるものを用い、前記接触点数は予め定められた接触点数以上のものを一致すると判断することを特徴とすることを特徴とするタッチパネル搭載電子機器。
【請求項７】
タッチパネルを搭載した第１の筐体と、操作面を有する第２の筺体とを備え、前記第１の筐体と前記第２の筺体とが、折りたたみ可能に一端同士を結合され、前記タッチパネルに導体が触れた際の前記導体の静電容量の変化に基づく接触検知情報を得ようにした折りたたみ式の電子機器の誤反応防止方法において、
前記操作面に配置された操作用のキーを設け、前記キーに近接する部分にＧＮＤへ接続された誤動作検知用の導体を配置することで、前記タッチパネルへの接触動作と、前記キーへの前記タッチパネルへの近接または接触動作とを判別できるようにしたことを特徴とするタッチパネル搭載電子機器の誤反応防止方法。
【請求項８】
請求項７に記載のタッチパネル搭載電子機器の誤反応防止方法において、前記誤動作検知用の導体として、前記キーよりも、前記一端側に配置された第１の検知導体と、前記キーよりも前記一端側から離れて配置された第２の検知導体とを設けることを特徴とするタッチパネル搭載電子機器の誤反応防止方法。
【請求項９】
請求項７又は８に記載のタッチパネル搭載電子機器の誤反応防止方法において、前記第１の検知導体を第１の抵抗を介して、ＧＮＤに接続し、前記弟２の検知導体を第２の抵抗を介して、ＧＮＤに接続し、前記第２の検知導体が前記弟１の検知導体よりも、前記静電容量の検知感度が大きくなるように、前記第１抵抗器は前記第２の抵抗器よりも大きな抵抗値を有するものを用いることを特徴とするタッチパネル搭載電子機器の誤反応防止方法。
【請求項１０】
請求項７乃至９の内のうちのいずれか一項に記載のタッチパネル搭載電子機器の誤反応防止方法において、前記タッチパネル搭載電子機器は、前記タッチパネルと、前記タッチパネルに重合せて設けられた表示装置とを備え、前記誤反応防止方法は更に、
前記表示装置を駆動するための表示装置駆動段階と、
前記タッチパネルへの接触による接触検知情報を生成するタッチパネル駆動段階と、
前記接触検知情報を格納する記憶段階と、
前記タッチパネル駆動手段からの接触検知情報と、前記記憶段階にて格納された接触検知情報とを比較し、一致した場合には、当該タッチパネル搭載電子機器を使用不可能状態に移行させ、一方、前記タッチパネル駆動手段からの情報と、前記記憶段階にて、格納された接触検知情報とを比較し、一致しない場合には、前記タッチパネル駆動段階による接触検知情報を前記表示装置駆動段階を介して、前記表示装置に表示させる誤反応防止制御段階と
を有することを特徴とするタッチパネル搭載電子機器の誤反応防止方法。
【発明の詳細な説明】
【技術分野】
【０００１】
本発明はタッチパネル搭載電子機器に関し、詳しくは、誤反応防止機構を備えたタッチパネル搭載電子機器とその誤反応防止方法に関する。
【背景技術】
【０００２】
従来、タッチパネルは、あらゆる電子機器の操作スイッチ等に用いられており、例えば、折りたたみできる電子機器にも搭載されている。このようなタッチパネル搭載電子機器は、タッチパネルに重ねられて設けられた表示装置と、タッチパネルに電気接続されたタッチパネルドライバと、タッチパネルドライバに接続されたメモリと、表示装置に電気接続された表示装置ドライバと、表示装置ドライバ及びメモリに接続されたホストＣＰＵとを備えている。
【０００３】
タッチパネルドライバは、ホストＣＰＵへ、座標、感度、及び接触数といった情報をホストＣＰＵへ送ることができるように構成されている。
【０００４】
従来のタッチパネルを搭載した電子機器において、誤動作を防止するために、特許文献１から５に示す電子機器が提案されている。
【０００５】
まず、特許文献１は、タッチパネルへ物体が接触した点の座標を正確に求められるようにするために、タッチパネル付き液晶型表示装置において、パワーセーブ時に表示駆動回路や信号処理回路はオン状態のままで液晶表示モニタのバックライトだけをオフ状態にすることにより、物体の接近に起因した補正演算処理をする際の閾値である第２閾容量値ＣＨ２がパワーセーブの前後で大きく変動しないようにした構成を開示している。この構成によって、特許文献１のタッチパネル付き液晶型表示装置は、パワーセーブが解除されたときに、輻射雑音の影響でタッチパネルの付加容量値ＣＨが第２閾容量値ＣＨ２を超えるということがないので、物体の接触点の座標が誤って補正処理されるという不都合を回避することができ、もって接触点の座標を正確に求めることができるという利点を有することが開示されている。
【０００６】
また、特許文献２には、携帯端末機が情報を表示する表示部と、接触により入力を生成するタッチパッドと、前記表示部及び前記タッチパッドを制御し、該タッチパッドへの接触で生成された入力に応じて該当する機能を実行する制御部と、を含み、この制御部は、当携帯端末機の状態又はキーパッドもしくは前記タッチパッドを介した入力の少なくとも１つに応じ、前記タッチパッドをアクティブ化又は非アクティブ化するものが開示されている。
【０００７】
また、特許文献３には、移動電話機等に於いて、キー操作無効モードの設定／解除のような余分な操作を必要とせず、確実に誤動作を防止できるようにする携帯型電子装置を提供するために、携帯型電子装置に静電容量式センサと静電容量の変化を調べる手段と入力信号生成手段とを有する構成が開示されている。より具体的には、静電容量式センサは、携帯型電子装置のケース体の表面又は表面近傍の少なくとも一部に面状に設けられ、静電容量の変化を調べる手段は、静電容量式センサが検出する静電容量変化が所定面積範囲内で生じた変化か否かを調べ、また、入力信号生成手段は、所定面積範囲内で生じた静電容量変化である場合は当該静電容量変化の検出部位に対応する操作入力信号を生成し且つ所定面積範囲を外れて生じた静電容量変化である場合は当該静電容量変化の検出部位に対応する操作入力信号を生成しない構成である。
【０００８】
また、特許文献４には、誤動作することのない携帯端末および起動方法を提供することを目的として、携帯電話において、ユーザによる接触の有無を静電センサが検出し、予め定めた静電センサにおいて所定時間接触されたことを検出すると、予め定めた機能を起動させることができ、したがって、誤動作することなく、簡単な操作で任意の機能を起動させることができるものが開示されている。
【０００９】
さらに、特許文献５には、物や人による意図しない接触による誤操作を防止することを目的として、接触センサ（タッチセンサ）は、２個の操作スイッチを有する第１接触センサ部と、２個操作スイッチに近接して配置されるダミースイッチを有する第２接触センサ部と、ダミースイッチの出力に基づいて、２個の操作スイッチに対して有効な接触が行われたかを検出するセンサ回路からなるセンサ検出部とを有する構成が開示されている。
【先行技術文献】
【特許文献】
【００１０】
【特許文献１】特開２００７−０７２７９８号公報
【特許文献２】特開２００７−０７４７１６号公報
【特許文献３】特開２００９−０１５８６２号公報
【特許文献４】特開２００９−０５５２３８号公報
【特許文献５】特開２００９−１１１９９６号公報
【発明の概要】
【発明が解決しようとする課題】
【００１１】
しかしながら、特許文献１から５を含めて従来技術による静電容量式のタッチパネルを搭載した折りたたみ構造の電子機器では、折りたたむ際に、操作面の金属等の導体キーと接触あるいは近接するため、導体キーと意図せぬ容量結合するという問題があった。
【００１２】
つまり、タッチパネルが操作面の金属等の導体を使用した部分と意図せぬ容量結合が生じることで、タッチパネル搭載電子機器が指が触れたと誤検知してしまい、ユーザーが意図せぬ誤操作が発生してしまうという問題があった。
【００１３】
このような操作面の導体との誤反応を回避するためには、折りたたみできる状態ではタッチパネルを使用しない設定にすることや、感度閾値を高く設定して操作面との反応をキャンセルするなどの方法があるが、いずれもユーザーの利便性を妨げる処理となるという問題が生じる。つまり、前述した誤反応を防ぐために感度閾値を高く設定すると、通常動作時にタッチパネルが軽快に反応できないということである。
【００１４】
そこで、本発明の技術的課題は、タッチパネルを搭載した電子機器において、タッチパネルが電子機器の金属等の導体と反応して、ユーザーが意図しない動作を発生させるのを防ぐことができるタッチパネル搭載電子機器とその誤反応防止方法を提供することにある。
【課題を解決するための手段】
【００１５】
本発明によれば、タッチパネルを搭載した第１の筐体と、操作面を有する第２の筺体とを備え、前記第１の筐体と前記第２の筺体とが、折りたたみ可能に一端同士を結合され、前記タッチパネルに導体が触れた際の前記導体の静電容量の変化に基づく接触検知情報を得ようにした折りたたみ式の電子機器において、前記操作面に配置された操作用の導体からなるキーを備え、前記キーに近接する部分にＧＮＤへ接続された誤動作検知用の導体を配置することで、前記タッチパネルへの接触動作と、前記キーへの前記タッチパネルへの近接または接触動作とを判別できるように構成したことを特徴とするタッチパネル搭載電子機器が得られる。
【００１６】
また、本発明によれば、前記タッチパネル搭載電子機器において、前記誤動作検知用の導体は、前記キーよりも、前記一端側に配置された第１の検知導体と、前記キーよりも前記一端側から離れて配置された第２の検知導体とを備えていることを特徴とするタッチパネル搭載電子機器が得られる。
【００１７】
また、本発明によれば、前記いずれか一のタッチパネル搭載電子機器において、前記第１の検知導体は第１の抵抗を介して、ＧＮＤに接続され、前記弟２の検知導体は、第２の抵抗を介して、ＧＮＤに接続され、前記第２の検知導体が前記弟１の検知導体よりも、前記静電容量の検知感度が大きくなるように、前記第１抵抗器は前記第２の抵抗器よりも大きな抵抗値を有することを特徴とするタッチパネル搭載電子機器が得られる。
【００１８】
また、本発明によれば、前記いずれか一のタッチパネル搭載電子機器において、前記タッチパネルに重合せて設けられた表示装置と、前記表示装置を駆動するための表示装置駆動手段と、前記表示装置前記タッチパネルへの接触による接触検知情報を生成するタッチパネル駆動手段と、前記接触検知情報を格納する記憶手段と、前記タッチパネル駆動手段からの接触検知情報と、記憶手段に格納された接触検知情報とを比較し、一致した場合には、当該タッチパネル搭載電子機器の使用不可能状態に移行させるとともに、一方、前記タッチパネル駆動手段からの情報と、記憶手段に格納された接触検知情報とを比較し、一致しない場合には、当該前記タッチパネル駆動手段からの接触検知情報を前記表示装置駆動手段に出力して、前記表示装置に表示させる誤反応防止制御手段とを有することを特徴とするタッチパネル搭載電子機器が得られる。
【００１９】
また、本発明によれば、前記いずれか一のタッチパネル搭載電子機器において、前記接触情報は、接触位置を示す座標、接触点数、接触感度、及び静電容量変化の波形の内の少なくとも一種であることを特徴とするタッチパネル搭載電子機器が得られる。
【００２０】
また、本発明によれば、前記タッチパネル搭載電子機器において、前記接触感度は、予め定められた閾値を越えるものを用い、前記接触点数は予め定められた接触点数以上のものを一致すると判断することを特徴とすることを特徴とするタッチパネル搭載電子機器が得られる。
【００２１】
また、本発明によれば、タッチパネルを搭載した第１の筐体と、操作面を有する第２の筺体とを備え、前記第１の筐体と前記第２の筺体とが、折りたたみ可能に一端同士を結合され、前記タッチパネルに導体が触れた際の前記導体の静電容量の変化に基づく接触検知情報を得ようにした折りたたみ式の電子機器の誤反応防止方法において、前記操作面に配置された操作用のキーを設け、前記キーに近接する部分にＧＮＤへ接続された誤動作検知用の導体を配置することで、前記タッチパネルへの接触動作と、前記キーへの前記タッチパネルへの近接または接触動作とを判別できるようにしたことを特徴とするタッチパネル搭載電子機器の誤反応防止方法が得られる。
【００２２】
また、本発明によれば、前記タッチパネル搭載電子機器の誤反応防止方法において、前記誤動作検知用の導体として、前記キーよりも、前記一端側に配置された第１の検知導体と、前記キーよりも前記一端側から離れて配置された第２の検知導体とを設けることを特徴とするタッチパネル搭載電子機器の誤反応防止方法が得られる。
【００２３】
また、本発明によれば、前記タッチパネル搭載電子機器の誤反応防止方法において、前記第１の検知導体を第１の抵抗を介して、ＧＮＤに接続し、前記弟２の検知導体を第２の抵抗を介して、ＧＮＤに接続し、前記第２の検知導体が前記弟１の検知導体よりも、前記静電容量の検知感度が大きくなるように、前記第１抵抗器は前記第２の抵抗器よりも大きな抵抗値を有するものを用いることを特徴とするタッチパネル搭載電子機器の誤反応防止方法が得られる。
【００２４】
また、本発明によれば、前記いずれか一のタッチパネル搭載電子機器の誤反応防止方法において、前記タッチパネル搭載電子機器は、前記タッチパネルと、前記タッチパネルに重合せて設けられた表示装置とを備え、前記誤反応防止方法は更に、前記表示装置を駆動するための表示装置駆動段階と、前記タッチパネルへの接触による接触検知情報を生成するタッチパネル駆動段階と、前記接触検知情報を格納する記憶段階と、前記タッチパネル駆動手段からの接触検知情報と、前記記憶段階にて格納された接触検知情報とを比較し、一致した場合には、当該タッチパネル搭載電子機器を使用不可能状態に移行させ、一方、前記タッチパネル駆動手段からの情報と、前記記憶段階にて、格納された接触検知情報とを比較し、一致しない場合には、前記タッチパネル駆動段階による接触検知情報を前記表示装置駆動段階を介して、前記表示装置に表示させる誤反応防止制御段階とを有することを特徴とするタッチパネル搭載電子機器の誤反応防止方法が得られる。
【００２５】
また、本発明によれば、前記ずれか一のタッチパネル搭載電子機器の誤反応防止方法において、前記接触検知情報は、接触位置を示す座標、接触点数、接触感度、及び静電容量変化の波形の内の少なくとも一種であるものを用いることを特徴とするタッチパネル搭載電子機器の誤反応防止方法が得られる。
【００２６】
また、本発明によれば、前記タッチパネル搭載電子機器の誤反応防止方法において、前記接触感度は、予め定められた閾値を越えるものを用い、前記接触点数は予め定められた接触点数以上のものを一致すると判断することを特徴とすることを特徴とするタッチパネル搭載電子機器の誤反応防止方法が得られる。
【００２７】
より具体的に、本発明のタッチパネル搭載電子機器の誤反応防止方法は、タッチパネルを搭載した電子機器において、タッチパネルが電子機器の導体部分と反応して、ユーザーが意図しない動作を発生させるのを防ぐ方法であることが好ましい。
【発明の効果】
【００２８】
本発明においては、タッチパネル搭載電子機器の筐体を折りたたんだ際に操作面の導体のキーと接触・近接した際にも誤動作しないタッチパネル搭載電子機器とその誤反応防止方法を提供することができる。
【００２９】
また、本発明によれば、指での接触と操作面の導体との接触を区別しているので、折り畳み式の電子機器での誤反応が判定できるタッチパネル搭載電子機器とその誤反応防止方法を提供することができる。
【図面の簡単な説明】
【００３０】
【図１】図１は本発明の実施の形態によるタッチパネル搭載電子機器の概略構成を示すブロック図である。
【図２】本発明の実施の形態による携帯端末の一例を示す図である。
【図３】図２の携帯端末のキー近傍に配置された導体の概略構成と静電容量変化の感度曲線を示す図である。
【図４】図３のキー及び導体の構成を用いた携帯端末の動作を示すフローチャート図である。
【発明を実施するための形態】
【００３１】
以下、本発明の実施の形態について説明する。
【００３２】
図１は本発明の実施の形態によるタッチパネル搭載電子機器の概略構成を示すブロック図である。
【００３３】
図１を参照すると、タッチパネル１１は折りたたみできる電子機器１０に搭載され、このタッチパネル搭載電子機器１０は、タッチパネル１１に重ねられて設けられた表示装置１４と、タッチパネル１１に電気接続されたタッチパネル駆動手段としてのタッチパネルドライバ１２と、タッチパネルドライバ１２に接続された記憶手段としてのメモリ１６と、表示装置１４に電気接続された、表示装置駆動手段としての表示装置ドライバ１５と、表示装置ドライバ１５及びメモリ１６に接続された誤反応防止制御手段としてのホスト中央演算処理装置（ＣＰＵ）１７とを備えている。タッチパネルドライバ１２は、ＩＣからなり、ホストＣＰＵ１７へ座標，感度、接触数といったといった接触検知情報の信号を送信できるように構成されている。このタッチパネル搭載電子機器において、タッチパネル１１は接触検知情報を、タッチパネルドライバ１２を介してホストＣＰＵ１７へ送る。
【００３４】
また、タッチパネル１１は指や金属の接触により容量変化を検知し、タッチパネルドライバ１２にて演算処理を実行して座標や感度、指の本数をホストＣＰＵ１７へ送る。
【００３５】
ホストＣＰＵ１７は、受け取った情報を元に装置を動作させたり表示装置ドライバ１５を介して表示装置１４にて表示したり、メモリ１６へ送りそれら情報を保存する。
【００３６】
メモリ１６には、予め装置面の金属製のキー３１の周囲に配置した金属、導電性無機物質、導電性樹脂、導電性ゴム等の導電性物質からなる導体３２の数量や位置情報、タッチパネルドライバ１２の演算処理にて出力される容量分布を記憶しておき指や金属が意図して触れた際のタッチパネル１１からの接触検知情報データと比較して操作面の金属製のキーとユーザーの指とのちがいを判別できる。
【００３７】
なお、図１で示されるホストＣＰＵ１７、メモリ１６、表示装置１４及び表示装置ドライバ、タッチパネルドライバ１２は、当業者にとってよく知られており、本発明とは直接関係しないので、その詳細な構成及び動作の説明は省略する。さらに、タッチパネルドライバ１２の進化により、最近では多数の指の座標を検知できるものもある。
【００３８】
なお、ホストＣＰＵ１７は表示装置１４へ表示装置ドライバ１５を介し情報を提示することや、メモリ１６に上記データを保存しておくこともできる。以上までは、従来技術とほぼ同様な構成を有している。
【００３９】
図２は、本発明の実施の形態による携帯端末の一例を示す図である。図２のように、表示面を備えたタッチパネル２１を搭載する電子機器２０は、一端に設けられたヒンジ部（折部）２３を解して第１の筐体２５と、第２の筐体２６とが、折りたたみできる構造で、折りたたんだ際にタッチパネル２１が、操作面２２と接するように、タッチパネル２１及び表示面を収納することもできる。操作面２２には金属製のキー３１を使用することもある。
【００４０】
図２を参照すると、タッチパネル２１は一般的に表示装置の前面に配置されており、指や金属の接触に伴い出力される座標や感度といった情報を利用し、端末を動作させる。
【００４１】
携帯端末２０は、タッチパネル２１を上面にして折りたたむことや、タッチパネル面と操作面を接触するように折りたたむこともできる。機器の操作面には金属あるいは導体製のキー３１が存在することがあり、この例では操作面にＧＮＤへ結合させた導体３２（図３参照）をキー３１の周囲に６個以上配置しておく。なお、説明の便宜上、導体３２のキー３１が設けられた位置３８からヒンジ部２３に近い側３９を第１の検知導体３２、ヒンジ部２３から離れた側３７を第２の検知導体３２と呼ぶ。
【００４２】
図３は図２の操作部にキー３１を使用した一例を示す平面図である。図３に示すように、キー３１の周囲にＧＮＤへ導通させた導体３２を設置しておく。一般的に金属製のキー３１はＧＮＤへ接続されていないため（電気的にフローティング）、導体３２よりも感度は低く検知される。
【００４３】
また、本発明では、電子機器を折りたたんだ際に、金属製のキーの周辺に任意に配置した導体３２と意図的に容量結合させ、その反応した導体や金属の数量や座標あるいは図３において各位置Ｘ１，Ｘ２，Ｘ３及びＹ１，Ｙ２，Ｙ３で夫々例示されるグラフ３５，３６のような容量変化の分布波形をメモリ１２内に予め記憶しておき、その形状を比較することで指や導体の意図した接触であるのか、あるいは操作面の金属や導体の意図せぬ接触であるか判断し、ユーザーの意図せぬ電子機器の動作を判断する。
【００４４】
図３において、検知用の第１及び第２の検知導体３２は、夫々第１及び第２の抵抗３３，３４を介してＧＮＤへ接続している。検知用の第１及び第２の検知導体３２はＧＮＤ間に設けられた第１及び第２の抵抗３３，３４の抵抗値を調整して設置されている。
【００４５】
ここで、図２に示す携帯端末を折り畳む場合、ヒンジ部（折部）２３に近い部分と遠い部分では、接触するまでの時間がことなるため折りたたむ瞬間は、前述した接触数、座標、波形等の判断が不可能である。
【００４６】
そこで、図３に示すように、第１及び第２の検知導体３２と感度の関係のように、符号３９で示されるヒンジ部２３近傍の第１の検知導体に接続された第１の抵抗３３の抵抗値を大きめ、符号３７で示されるヒンジ部２３遠方の第２の検知導体に接続された第２の抵抗３４の抵抗値を小さめに設定し、ヒンジ部（折部）２３に近い方は感度Ｘ，Ｙが低め、遠い方は感度ＸＹが高めに見えるようにしておく。このように、この例では、ヒンジ部２３（折部）からの距離で検知用の第１及び第２の検知導体３２の感度を調整して折り畳み時に同時に閾値を越えるように設定しているので、折りたたみ時の反応のちがいによる、接触本数の誤検知の予防効果が得られる。
【００４７】
なお、上記実施の形態では、検知用の第１及び第２の検知導体３２をキー３１の周辺へ配置としているが操作面の任意の位置へ配置してもよい。また、キー３１についても、キー３１の一部をＧＮＤへ落とすことで上記検知用導体を構成できる。
【００４８】
次に、本発明の実施の形態による携帯端末の動作について説明する。図４において、静電容量方式のタッチパネル１１は、指や金属の接触により容量の変化量と変化した位置１３を検知して、ドライバ１２内で位置と容量結合の強さを表す値（以降、感度と呼ぶ）１３に演算する。演算した感度が予め設定しておいた閾値を超える場合は電子機器内のホストＣＰＵ１７に座標と感度および接触指の本数のデータなど（接触検知情報）として出力する。
【００４９】
次に、更に詳細に動作を図４に示すフローチャート（タイムチャート）を使用して説明する。
【００５０】
図４において、折りたたみ可能な電子機器に搭載されたタッチパネルが、折りたたみ時に機器の操作面の検知用金属・導体と近接した場合、まずタッチパネルドライバ１２あるいはホストＣＰＵ１７にてセンサスキャンリトライ数が規定回数を超えていないかを確認し（ステップＳ１）、超えていない場合はセンサスキャンを実施し、感度や位置、タッチ本数についての接触検知情報を得る（ステップＳ２）。次に、スキャンで得た情報から内部演算し、指の接触本数が６本以上か否かを確認する（ステップＳ４）。ここで、本発明ではハンドヘルドタイプの電子機器を想定しているため、片手で電子機器を保持した場合、もう一方の手でタッチできる。最大の指本数は５本であり、配置する検知用の金属・導体の反応数量と区別できる。予め指での操作可能数を５本以下にＵＩ上設定しておけばなお安全である。
【００５１】
ステップＳ４において、６本以上の検知があれば、リトライ数を加算して再スキャンを実施する。ここで、６本以上の検知がない場合には、次のステップＳ５において、メモリに保管しておいた任意配置の導体の座標と、スキャンで得た座標を比較する。合致している場合は、同様にリトライ数を加算して再スキャンを実施する。合致していない場合は、次のステップＳ６において、タッチパネルドライバで演算した位置と感度の関係の波形をメモリ内に保管したものと比較する。合致しない場合には、ステップＳ７において、データを出力される。
【００５２】
なお、波形が合致する場合は上記のようにリトライ回数を加算して再スキャンもできる。リトライ回数が規定数を超えた場合、装置は折り畳み状態で操作面と反応していると判断し、Ｄｉｓａｂｌｅ状態（ステップＳ１１）に推移する。
【００５３】
また、ステップＳ４，Ｓ５，及びＳ６において、パスした場合（すべてＮＯであった場合）には、装置が“開”状態と判断し、タッチパネルは通常動作する。
【００５４】
なお、ステップＳ４，Ｓ５，及びＳ６は、並列とすることで、ステップＳ４，Ｓ５，Ｓ６の条件は、一つの条件のみで使用することも可能であるが、より信頼性を高めるために組み合わせて、ステップＳ４，Ｓ５，及びＳ６を順番を入れ替えて使用することもできる。
【００５５】
また、ステップＳ４，Ｓ５，及びＳ６の各条件はホストＣＰＵ１７で実施してもよいが、勿論タッチパネルドライバ１２で行っても良い。
【００５６】
以上説明したように、本発明の実施の形態においては、操作面に意図的に配置した金属や導体を検知し、タッチパネル動作をディセーブルにできるので、電子機器を折りたたんだ際の金属キーとタッチパネルの意図せぬ反応を回避できる。
【００５７】
また、本発明の実施の形態においては、指での接触と操作面の金属・導体との接触を区別しているので、折り畳み式の電子機器での誤反応が判定できる。
【００５８】
また、本発明の実施の形態においては、操作面との接触を感知できるので、開閉検知も行うことができる。
【産業上の利用可能性】
【００５９】
本発明に係るタッチパネル搭載電子機器とその誤反応防止方法は、タッチパネル搭載電子機器に適用される。
【００６０】
（付記１）
請求項７乃至１０のいずれか一項に記載のタッチパネル搭載電子機器の誤反応防止方法において、前記接触検知情報は、接触位置を示す座標、接触点数、接触感度、及び静電容量変化の波形の内の少なくとも一種であるものを用いることを特徴とするタッチパネル搭載電子機器の誤反応防止方法。
【００６１】
（付記２）
付記１に記載のタッチパネル搭載電子機器の誤反応防止方法において、前記接触感度は、予め定められた閾値を越えるものを用い、前記接触点数は予め定められた接触点数以上のものを一致すると判断することを特徴とすることを特徴とするタッチパネル搭載電子機器の誤反応防止方法。
【符号の説明】
【００６２】
１０    タッチパネル搭載電子機器
１１    タッチパネル
１２    タッチパネルドライバ（タッチパネル駆動手段）
１４    表示装置
１５    表示装置ドライバ（表示装置駆動手段）
１６    メモリ（記憶手段）
１７    ホスト中央演算処理装置（ＣＰＵ）（誤反応防止制御手段）
２０    携帯端末
２１    タッチパネル（＋表示面）
２２    操作面
２３    ヒンジ部（折部）
２５    第１の筐体
２６    第２の筐体
３１    キー
３２    第１及び第２の検知導体
３３    第１の抵抗
３４    第２の抵抗
３５，３６    グラフ
３７    ヒンジ部から離れた側
３８    キーが設けられた位置
３９    ヒンジ部に近い側
【図１】
2011154424.tif 000003
【図２】
2011154424.tif 000004
【図３】
2011154424.tif 000005
【図４】
2011154424.tif 000006